(57)【要約】【課題】本発明は前後二段に収納棚を設けた本棚のような収納装置に関し、収納効率を極限まで高めることを目的とする。【課題を解決するための手段】  書棚は前面が開放した収納部と、収納部の奥側に設置された固定収納棚と、該固定収納棚より前方における収納部内に横方向移動可能に設けられた横移動収納棚とを備える。固定収納棚より前方において高さ方向の中心線の周りを回転可能に回転収納棚を設け、回転収納棚を収容部から離脱するように前方に回転させた状態で横移動収納棚の横移動を行い、固定収納棚の横移動により退避させることで、収容部内への回転収納棚の収容のための回転収納棚の後方への回転が可能である。【選択図】  図１
2005296085.tif 000002
【特許請求の範囲】
【請求項１】
前面が開放した収納部と、収納部の奥側に設置された固定収納棚と、該固定収納棚より前方における収納部内に横方向移動可能に設けられた横移動収納棚とを備えた収納装置において、固定収納棚より前方において高さ方向の中心線の周りを回転可能に回転収納棚を設け、回転収納棚を収容部から離脱するように前方に回転させた状態で固定収納棚の横移動を行い、横移動収納棚の横移動により退避させることで、収容部内への回転収納棚の収容のための回転収納棚の後方への回転が可能であることを特徴とする収納装置。
【発明の詳細な説明】
【技術分野】
【０００１】
この発明は前後二段に収納棚を設けた本棚のような収納装置に関するものである。
【背景技術】
【０００２】
前面が開放した収納部と、収納部の奥側に設置された固定収納棚と、該固定収納棚より前方における収納部内に横方向移動可能に設けられた横移動収納棚とを備えた所謂前後２段収納型の収納装置が公知である。この種の収納装置は２段収納であるため、同一スペースに対して収納量が増大され、収納効率を高められるメリットがある。
【特許文献１】実全平０２−１１１３３４号公報
【発明の開示】
【発明が解決しようとする課題】
【０００３】
前後２段収納型の収納装置においては、固定収納棚の前方に横移動収納棚が位置しているため、固定収納棚における書物などの被収納物の取り出しは横移動収納棚を適宜横移動させ、取り出したい書物が収容された固定収納棚の部分を露出させて取り出すようにしている。逆にいえば、固定収納棚からの被収納物の取り出しを行いうるようにするため、収納分における固定収納棚の前方の空間は１００パーセントが利用されているわけではなく、固定収納棚に収容された被収納物を必ず取り出すことができるように横移動収納棚を適宜横移動させるための余白の部分は必ず必要であり、この余白の部分だけ収納効率は悪化している。
この発明は摺動式の前後２段収納型の収納装置において横移動収納棚の移動のための空洞をも収納に利用しうるようにし、収納効率を極限まで高めることを目的とする。
【課題を解決するための手段】
【０００４】
請求項１に記載の発明によれば、前面が開放した収納部と、収納部の奥側に設置された固定収納棚と、該固定収納棚より前方における収納部内に横方向移動（摺動）可能に設けられた横移動収納棚とを備えた収納装置において、固定収納棚より前方において高さ方向の中心線の周りを回転可能に回転収納棚を設け、回転収納棚を収容部から離脱するように前方に回転させた状態で横移動収納棚の横移動を行い、固定収納棚の横移動により退避させることで、収容部内への回転収納棚の収容のための回転収納棚の後方への回転が可能であることを特徴とする収納装置が提供される。
【発明の効果】
【０００５】
請求項１の発明の作用・効果を説明すると、固定収納棚からの被収納物の取り出しは、回転収納棚を収容部から離脱するように前方に回転させた状態で、横移動収納棚を適宜横移動（摺動）させ、取り出したい書物が収容された固定収納棚の部分を露出させる。そして、横移動収納棚の横移動により一杯に退避させることで、固定収納棚の前方に生じた空洞部分に回転収納棚を収容するべく回転収納棚を後方回転せしめることができる。そのため、固定収納棚の前方における収容部内の空洞を実質的に余白を生ずることなく収納に利用することができ、収納効率の極限までの増大を実現することができる。
【発明を実施するための最良の形態】
【０００６】
図１から図３はこの発明の実施形態における収納家具としての本棚を示しており、図１の斜視図において、本棚は前面が開放した矩形箱状の収納部１０と、収納部の奥側に設置された固定収納棚１２と、該固定収納棚より前方における収納部内に横方向移動可能に設けられた横移動収納棚14A, 14Bとを備える。固定収納棚１２はこの実施形態では上下多段の棚として構成され、固定収納棚１２は収納部１０の奥側において奥行きのおおよそ半分を閉めており、収納部１０の奥側壁面の全幅を（即ち両側側壁まで）延びており、複数の棚１２が適当な上下間隔で設けられ、奥側の本棚を構成している。摺動式の横移動収納棚14A, 14Bは図１の実施形態では２個設けられ、固定収納棚１２の前方における収納部１０の上下内壁面にレール16-1, 16-2（図１では下面のレールのみ示す）が周知のように設けられ、後面の閉じた箱状の横移動収納棚14A, 14Bの上下面にはレール16-1, 16-2に係合するベアリング（図示しない）などの摺動手段が設けられ、横移動収納棚14A, 14Bを適宜横移動させることができる。そして、横方向寸法と同一寸法の余裕部分１８が収納部１０内における固定収納棚１２の前方に残されている。そのため、横移動収納棚14A, 14Bをレール16-1, 16-2に沿って適宜横移動させることにより、固定収納棚１２の所望部位を横移動収納棚14A, 14Bにブロックされることなく露出せしめる空洞を形成し、固定収納棚１２の任意の部分へのアクセスが可能となっている。
【０００７】
２０は回転軸２２の周りを回転可能な回転収納棚であり、この実施形態では、回転収納棚２２も後面の閉じた箱状に形成される。横移動収納棚14A, 14Bを横移動により退避させることにより形成された固定収納棚１２の前方における余白部位１８に収納可能に構成されている。即ち、この実施形態では、回転収納棚２０は収納部１０の全面における一端側に設置され、横移動収納棚14A, 14Bを他端側に一杯に退避させることにより形成された余白１８の部位に回転収納棚２０の収納を行うようにしている。即ち、図２（イ）に示すように横移動収納棚14A, 14B, 14C（横移動収納棚の個数は限定的でないという趣旨で図１とは横移動収納棚の数を違え３個図示している）は、横移動によって回転収納棚２０から離間側に目一杯交代され、これにより生じた固定収容棚１２の前方の余白部分１８に、回転軸２２の周りでの回転によりで、回転収容棚２０が収容されている。回転収容棚２０の幅ｗは回動時の干渉を防止するため余白部分１８の幅Ｗより幾分狭くなっている。Ｗ−ｗの分だけのデッドスペースは回避し得ないが、この発明における横移動収納棚14A, 14B, 14Cと回転収納棚２０との組み合わせにより前後２段収納棚におけるデッドスペースは最小となり、収納効率は極限まで高めうる。
【０００８】
図２（ロ）は（イ）の状態より回転収納棚２０を回転軸２２の廻りで回転させることにより回転収納棚２０を前方に引き出した状態を示し、この状態においては固定収納棚１２の前方に余白空洞部分１８が形成されるため、横移動収納棚14A, 14B, 14Cを矢印ａのように適宜横移動させることにより、固定収納棚１２の所望部分にアクセスすることができる。
【０００９】
図３は回転軸２２による回転収納棚２０の取り付け構造を模式的に示しており、この構造は本出願人による特開平２００２−１２５７７４号公報のものと同様であり、収納部１０にビス２４などにより固定される金属製の軸受板２６により回転軸２２を取り付け、回転軸２２には回転収納棚２０にビス２８により留められる蝶番３０の筒状部及び筒状スペーサ３２を交互に挿入したものである。蝶番３０の筒状部と筒状スペーサ３２とは相互に端部当接し、蝶番３０の筒状部と筒状スペーサ３２との端部当接構造が最下端側（収納部１０の底面側）で上側の金属製軸受板２６と同様の金属製軸受板に受け止められている。そのため、強固な蝶番構造が得られ、回転収納棚２０に書物を目一杯収容した状態でも回転収納棚２０の安定的な回転運動を長期にわたって確保することができる。
【図面の簡単な説明】
【００１０】
【図１】図１はこの発明の実施形態における収納装置の概略的斜視図である。
【図２】図２は図１の収納装置における回転収納棚の回転動作を示す概略図で（イ）は収納状態を示し、（ロ）は引き出し状態を示す。
【図３】図３は回転収納棚を回転自在とする蝶番装置の概略構成図である。
【符号の説明】
【００１１】
１０…収納部
１２…固定収納棚
14A, 14B…横移動収納棚
16-1, 16-2…レール
１８…余裕部分
２６…金属製軸受板
３０…蝶番
３２…筒状スペーサ
【図１】
2005296085.tif 000003
【図２】
2005296085.tif 000004
【図３】
2005296085.tif 000005